(57)【特許請求の範囲】
【請求項１】
一階部分に複数の住戸が並設され、それら一階住戸ごとに、該住戸の屋外側に駐車スペースが設けられるとともに、その駐車スペースに面した掃き出し窓が設置され、該掃き出し窓を通じて一階住戸内と前記駐車スペースとの間で人の出入りを可能とする集合住宅において、前記一階住戸に設けられ、前記掃き出し窓の施解錠を制御する窓施解錠システムであり、
前記掃き出し窓に設置され、その掃き出し窓を電気的に施解錠する電気錠と、
前記一階住戸の住人により所持され、固有の識別情報を無線送信する機能と、住人が所有する車両の車両キーとしての機能とを併せて有する電子キーと、
前記電子キーより無線受信した識別情報と、前記駐車スペースに駐車された車両の駐車情報とに基づいて、屋外側からの前記電気錠の解錠許否を判断する判断手段と、
前記判断手段により解錠許可判断がなされた場合に、前記電気錠を解錠可能な状態とする又は前記電気錠を解錠動作させる制御手段と、
を備えたことを特徴とする窓施解錠システム。
【請求項２】
前記駐車スペースに駐車された車両を検知する車両検知手段をさらに備え、
前記車両の駐車情報には、前記車両検知手段の検知情報に基づく車両入庫の有無、及び当該車両の走行駆動源の駆動状況が含まれており、
前記判断手段は、前記識別情報が住戸の住人として予め登録された識別情報であるとともに、前記車両が入庫した場合であって、かつその車両の走行駆動源が駆動停止されてから所定時間内である場合に、解錠許可判断すること特徴とする請求項１に記載の窓施解錠システム。
【請求項３】
前記車両の駐車情報には、前記車両検知手段の検知情報に基づく車両出庫の有無が含まれており、
前記制御手段は、前記車両が出庫し、その出庫から所定時間を経過した場合に、前記電気錠が解錠状態にあればその電気錠を施錠動作させることを特徴とする請求項２に記載の窓施解錠システム。
【請求項４】
前記電子キーには、該電子キーを所持する住人について前記掃き出し窓を通じての出入りを許可することに関する属性が予め登録され、その属性情報を前記識別情報と併せて無線送信するようにし、
前記判断手段は、前記識別情報及び前記駐車情報に加えて、前記電子キーより受信した前記属性情報に基づいて、屋外側からの解錠の許否を判断するようにしたことを特徴とする請求項１乃至３のいずれか１項に記載の窓施解錠システム。
【請求項５】
前記掃き出し窓の屋外側で人を検知する人検知手段を備え、
前記制御手段は、屋内側からの解錠要求について、前記人検知手段が非検知状態である場合に、その要求を受け付けて前記電気錠を解錠動作させることを特徴とする請求項１乃至４のいずれか１項に記載の窓施解錠システム。
【請求項６】
前記掃き出し窓は複数の窓戸が引き違い式に設けられて構成されており、その各窓戸にそれぞれ前記電気錠が設置されて窓戸ごとに施解錠がなされるようにし、
前記制御手段は、前記駐車スペースに駐車された車両のハンドル位置と同じ側にある前記電気錠を解錠動作させることを特徴とする請求項１乃至５のいずれか１項に記載の窓施解錠システム。
【請求項７】
前記掃き出し窓は複数の窓戸が引き違い式に設けられて構成されており、その各窓戸にそれぞれ前記電気錠が設置されて窓戸ごとに施解錠がなされるようにし、
前記駐車スペースには、車両充電用の充電ケーブルを備えた充電装置が設けられ、
前記充電ケーブルに対する被接続部を有する車両が前記駐車スペースに駐車された場合、前記制御手段は、前記被接続部の左右位置と同じ側にある前記電気錠を解錠動作させることを特徴とする請求項１乃至５のいずれか１項に記載の窓施解錠システム。
【請求項８】
車両警戒モードと非警戒モードとを切り替えるモード切替手段と、
前記駐車スペースに駐車された車両に対してリクエスト信号を所定のタイミングで送信するとともに、その応答信号を車両から受信する無線送受信手段と、
前記一階住戸の住戸内に設置され、前記車両警戒モードにある場合に、前記応答信号の受信状態から非受信状態になると車両盗難を報知する盗難報知手段と、
を備えたことを特徴とする請求項１乃至７のいずれか１項に記載の窓施解錠システム。
【請求項９】
一階部分に複数の住戸が並設され、それら一階住戸ごとに、該住戸の屋外側に駐車スペースが設けられるとともに、その駐車スペースに面して掃き出し窓が設置され、前記掃き出し窓を通じて一階住戸内と前記駐車スペースとの間で人の出入りを可能とする集合住宅であって、
前記各一階住戸には、それぞれの掃き出し窓の施解錠を制御すべく、請求項１乃至８のいずれか１項に記載の窓施解錠システムを備えたことを特徴とする集合住宅。
【発明の詳細な説明】
【技術分野】
【０００１】
本発明は、集合住宅の一階住戸に設けられた掃き出し窓について、その施解錠を制御する窓施解錠システム、及びそれを備えた集合住宅に関する。
【背景技術】
【０００２】
一般に、複数の住戸が並設された集合住宅では、限られた建築面積の中で住戸数を確保すべく、一つの住戸の間口は狭く設定される。そして、このような間口の狭い住戸では、日射の取り入れ側（例えば、南側）に居室が配置されるように間取り設定されるのが通常である。そうすると、各住戸の玄関は、その反対側に設置されることが多い。ワンルームタイプの住戸を有する集合住宅は、その代表例である（例えば、特許文献１参照）。
【先行技術文献】
【特許文献】
【０００３】
【特許文献１】特開２００４−２２５２７３号公報
【発明の概要】
【発明が解決しようとする課題】
【０００４】
ところで、前述した間取りの住戸を有する集合住宅において、車両を駐車する駐車スペースが敷地内に付属して設けられる場合がある。その場合、駐車スペースは道路に面して設けられることになる。
【０００５】
このため、集合住宅が建てられた敷地の道路側に玄関が設けられている場合であれば、玄関を出たその前方に駐車スペースが存在することになる。しかしながら、そうでない場合、つまり、玄関の反対側に駐車スペースが設けられた場合には、玄関から駐車スペースまでの移動距離は比較的長くなる。建物を迂回しなければならないためで、その分、各住戸の住人にとっては不便となる。
【０００６】
その上、一階住戸に関していえば、玄関の反対側に存在する駐車スペースは、居室から見ればその前方に存在することになる。そうすると、一階住戸の住人にとっては、居室の目前に存在する駐車スペースと住戸内との間を行き来するのに、駐車スペースとは反対側にある玄関から出て移動しなければならない点で、不便さは顕著なものとなる。
【０００７】
そこで、本発明は、一階住戸に関し、駐車スペースへの移動距離を短くして利便性を高めることができ、併せて防犯性も同時に確保できる窓施解錠システムを提供することを主たる目的とするものである。
【課題を解決するための手段】
【０００８】
本発明は、上記課題を解決するために、以下の手段を採用した。
【０００９】
すなわち、第１の発明では、一階部分に複数の住戸が並設され、それら一階住戸ごとに、該住戸の屋外側に駐車スペースが設けられるとともに、その駐車スペースに面した掃き出し窓が設置され、前記掃き出し窓を通じて一階住戸内と前記駐車スペースとの間で人の出入りを可能とする集合住宅において、前記一階住戸に設けられ、前記掃き出し窓の施解錠を制御する窓施解錠システムであり、前記掃き出し窓に設置され、その掃き出し窓を電気的に施解錠する電気錠と、前記一階住戸の住人により所持され、固有の識別情報を無線送信する機能と、住人が所有する車両の車両キーとしての機能とを併せて有する電子キーと、前記電子キーより無線受信した識別情報と、前記駐車スペースに駐車された車両の駐車情報とに基づいて、屋外側からの前記電気錠の解錠許否を判断する判断手段と、前記判断手段により解錠許可判断がなされた場合に、前記電気錠を解錠可能な状態とする又は前記電気錠を解錠動作させる制御手段と、を備えた。
【００１０】
この第１の発明によれば、掃き出し窓を利用して各一階住戸と駐車スペースとの間を行き来すれば、その間の移動に関して利便性が高まる。特に、駐車スペースの反対側に玄関が設けられている場合には、その玄関から駐車スペースまで移動するのに比べて移動距離（動線）が大幅に短くなるため、便利さはより顕著なものとなる。
【００１１】
ただ、このように利便性が高まる一方で、駐車スペースに車両が存在することにより道路からの死角ができる等、防犯性の問題が生じ得ることが懸念される。その点、第１の発明では、電子キーによる認証だけでなく、駐車スペースに駐車された車両の駐車情報に基づいて解錠許可判断がなされた場合に限り、屋外側から電気錠が解錠されることになる。つまり、住人であるだけでは足りない限定された条件の下でのみ、屋外側からの解錠が可能となっている。これにより、防犯性の低下を抑制しつつ、駐車スペースへの移動距離を短くして利便性を高めることができ、防犯性と利便性との両立を図れる。
【００１２】
なお、ここでいう一階住戸には、例えば、一階建て又は複数階建てであって、各階に住戸が設けられた集合住宅において、その一階部分に設けられた住戸が含まれる。その他にも、一の住戸が一階部分と上階部分とで構成される、いわゆるメゾネットタイプの集合住宅において、各住戸の一階部分もこれに含まれる。
【００１３】
第２の発明では、前記駐車スペースに駐車された車両を検知する車両検知手段をさらに備え、前記車両の駐車情報には、前記車両検知手段の検知情報に基づく車両入庫の有無、及び当該車両の走行駆動源の駆動状況が含まれており、前記判断手段は、前記識別情報が住戸の住人として予め登録された識別情報であるとともに、前記車両が入庫した場合であって、かつその車両の走行駆動源が駆動停止されてから所定時間内である場合に、解錠許可判断するようにした。
【００１４】
この第２の発明によれば、電気錠を屋外側から解錠できるのは、一階住戸の住人が車両に乗車して帰宅し、駐車スペースに車両を入庫した後の所定時間内に限られる。このように、屋外側からの解錠は、住人であってもごく限られた時間内でしか許されないとすることで、防犯性の両立を図っている。
【００１５】
なお、車両非検知状態から車両検知状態となった後の所定時間内である場合に、車両が入庫したとの判断がなされる。
【００１６】
第３の発明では、前記車両の駐車情報には、前記車両検知手段の検知情報に基づく車両出庫の有無が含まれており、前記制御手段は、前記車両が出庫し、その出庫から所定時間を経過した場合に、前記電気錠が解錠状態にあればその電気錠を施錠動作させるようにした。
【００１７】
この第３の発明によれば、車両が出庫してから所定時間を経過した場合に、解錠状態にある電気錠が施錠動作される。これにより、住人が電気錠を施錠し忘れたまま、車両に乗車して外出した場合であっても、自動的に電気錠が施錠されるため、防犯性を高めることができる。特に、本発明では、解錠認証用の識別情報を送信する電子キーが車両キーとしての機能を有しており、車両に乗車して外出した住人はこの電子キーを必ず所持している。このため、自動的に施錠がなされた場合でも、帰宅時に、屋外側から解錠させることができるため、住人が締め出されてしまうことはない。
【００１８】
第４の発明では、前記電子キーには、該電子キーを所持する住人について前記掃き出し窓を通じての出入りを許可することに関する属性が予め登録されて、その属性情報を前記識別情報と併せて無線送信するようにし、前記判断手段は、前記識別情報及び前記駐車情報に加えて、前記電子キーより受信した前記属性情報に基づいて、屋外側からの解錠の許否を判断するようにした。
【００１９】
この第４の発明によれば、解錠許可の条件として、さらに所定属性、つまり掃き出し窓を通じた出入りが許可される属性を有することが要求されるため、防犯性をより強化させることができる。この所定属性としては、性別や年齢等によって区分される属性（子供、大人、高齢者等）が考えられる。例として、一階住戸に、両親と子供とで構成された家族が居住している場合、１８歳以上の年齢属性情報を受信した場合に限って解錠要求を受け付ける。そうすれば、子供のいたずら等により、不用意に電気錠が解錠されてしまうといったことを防止できる。
【００２０】
第５の発明では、前記掃き出し窓の屋外側で人を検知する人検知手段を備え、前記制御手段は、屋内側からの解錠要求について、前記人検知手段が非検知状態である場合に、その要求を受け付けて前記電気錠を解錠動作させるようにした。
【００２１】
この第５の発明によれば、住人が掃き出し窓を通じて住戸内から駐車スペースに出るべく、屋内側で電気錠の解錠要求すると、掃き出し窓の外に人が存在しないことを条件として解錠動作がなされる。駐車スペースに車両が存在することによって道路からの死角ができるため、侵入者がその死角に隠れている場合もあり得る。そのような場合に電気錠を解錠してしまえば、防犯上の問題が生じる。そこで、この発明のように、外に人がいない場合に限って解錠されることにより、防犯性を高めることができる。
【００２２】
なお、この場合、外に人が存在する旨を屋内側で報知する報知手段を備えていることが好ましい。これにより、住人は解錠要求が受け付けられない理由を把握することが可能となり、外部に通報する等の必要な措置を講ずることができる。
【００２３】
第６の発明では、前記掃き出し窓は複数の窓戸が引き違い式に設けられて構成されており、その各窓戸にそれぞれ前記電気錠が設置されて窓戸ごとに施解錠がなされるようにし、前記制御手段は、前記駐車スペースに駐車された車両のハンドル位置と同じ側にある前記電気錠を解錠動作させるようにした。
【００２４】
この第６の発明によれば、車両の運転席側にある電気錠が解錠されるため、その運転席側の窓戸を通じて住戸内に立ち入ることができる。これにより、運転席から降りた後、住戸内へ移動する場合に、その移動距離をより短くして、利便性をさらに高めることができる。
【００２５】
第７の発明では、前記掃き出し窓は複数の窓戸が引き違い式に設けられて構成されており、その各窓戸にそれぞれ前記電気錠が設置されて窓戸ごとに施解錠がなされるようにし、前記駐車スペースには、車両充電用の充電ケーブルを備えた充電装置が設けられ、前記充電ケーブルに対する被接続部を有する車両が前記駐車スペースに駐車された場合、前記制御手段は、前記被接続部の左右位置と同じ側にある前記電気錠を解錠動作させるようにした。
【００２６】
この第７の発明によれば、充電ケーブルに対する被接続部が設けられた側にある電気錠が解錠されるため、その被接続部側の窓戸を通じて住戸内に立ち入ることができる。これにより、充電ケーブルを車両の被接続部に接続させた後、住戸内へ移動する場合に、その移動距離をより短くして、利便性をさらに高めることができる。
【００２７】
第８の発明では、車両警戒モードと非警戒モードとを切り替えるモード切替手段と、前記駐車スペースに駐車された車両に対してリクエスト信号を所定のタイミングで送信するとともに、その応答信号を車両から受信する無線送受信手段と、前記一階住戸の住戸内に設置され、前記車両警戒モードにおいて、前記応答信号の受信状態から非受信状態になると車両盗難を報知する盗難報知手段と、を備えた。
【００２８】
この第８の発明によれば、車両より応答信号を受信すれば、その車両が駐車スペースに駐車中であることが把握され、それが非受信状態になれば、車両が駐車スペースより外に出たことが把握される。このため、車両警戒モードに切替設定されている場合に、受信状態から非受信状態になれば、勝手に車両が駐車スペースより外に出されたこととなる。この場合に、車両盗難が報知されるため、住人は、外部に通報する等、即座に必要な措置を講ずることができる。
【００２９】
第９の発明では、一階部分に複数の住戸が並設され、それら一階住戸ごとに、該住戸の屋外側に駐車スペースが設けられるとともに、その駐車スペースに面して掃き出し窓が設置され、前記掃き出し窓を通じて一階住戸内と前記駐車スペースとの間で人の出入りを可能とする集合住宅であって、前記各一階住戸には、それぞれの掃き出し窓の施解錠を制御すべく、上記第１乃至第８のいずれか一に記載の窓施解錠システムを備えた。
【００３０】
この第９の発明によれば、各一階住戸の掃き出し窓が窓施解錠システムによって制御されるため、全ての一階住戸について、防犯性の低下を抑制しつつ、駐車スペースへの移動距離を短くして利便性を高め、防犯性と利便性との両立を図ることができる。これにより、集合住宅が複数階建てであれば、その一階住戸に付加価値がもたらされ、そこへの入居を促すことができる。
【図面の簡単な説明】
【００３１】
【図１】集合住宅の一階部分を含む全体見取り図。
【図２】掃き出し窓を屋外側から見た場合の一部正面図。
【図３】屋外操作盤を拡大して示す図であり、（ａ）は正面図、（ｂ）は側面図。
【図４】窓施解錠システムの電気的構成を示すブロック図。
【図５】屋内制御盤の正面図。
【図６】窓施解錠処理を示すフローチャート。
【図７】第２実施形態における窓施解錠システムの概略を示す図。
【図８】第３実施形態における統合管理システムの概略を示す図。
【発明を実施するための形態】
【００３２】
［第１実施形態］
以下、窓施解錠システムの一実施の形態について、図面を参照しながら説明する。この窓施解錠システムは、複数の住戸を有する集合住宅のうち、一階部分に設けられた一の住戸が備える窓についてその施解錠を実施するシステムである。
【００３３】
はじめに、集合住宅及びその周辺部分の全体的な概要について、図１を参照しながら説明する。なお、図１は、集合住宅の一階部分を含む全体見取り図である。
【００３４】
図1に示されているように、東西方向に延びる道路Ｒの北側に、集合住宅の敷地１１が設定されている。この敷地１１は、境界線Ｌによって他の土地と区画されている。
【００３５】
敷地１１には、集合住宅１２が建てられている。集合住宅１２は複数階建ての建物であり、各階部分に居住部１３と共用部１４とを有して構成されている。そのうち、居住部１３では、複数（この実施形態では一の階に５つ）の住戸１５が設けられている。図1では、一階部分の住戸１５が図示されている。各住戸１５は、床面積や間取り等がほぼ統一され、道路Ｒに沿う方向に並設されている。いずれの住戸１５も、単身者を対象とするワンルームタイプのものとなっている。
【００３６】
一階部分の住戸１５（以下、一階住戸１５という）について、その具体的な間取りを説明する。各一階住戸１５には、居室、玄関、キッチン、収納部、浴室やトイレ等の部屋が設けられている。図１では、代表して、住戸並設方向の中央部にあたる一階住戸１５について、その簡単な間取りが示されている。
【００３７】
図示のように、まず、日当たりのよい南側に居室２１が設けられている。一階住戸１５については、居室２１と屋外（集合住宅１２の南側、つまり道路側の屋外）とを区画する南側外壁部２２に、掃き出し窓２３が設置されている。掃き出し窓２３の屋外側には地面に踏み石等が設置され、住人は、この掃き出し窓２３を通じて居室２１と屋外との間の出入りが可能となっている。一方、居室２１の北側には、玄関２４を初めとする居室２１以外の他の部屋が設けられている。玄関２４に通ずる玄関ドア２５は、北側外壁部２６に設置されている。
【００３８】
前記共用部１４としては、廊下部３１と階段部３２とがある。なお、集合住宅１２が多層階となっている場合等には、エレベータが共用部１４の一つとして設置されることもある。廊下部３１は、前記北側外壁部２６を隔てた玄関２４の北側において、一階住戸１５の並設方向に延びるように形成されている。図示されている一階部分の廊下部３１については、集合住宅１２への出入り口３３につながっている。出入り口３３は廊下部３１の延びる方向の一端側（図では東端）に設けられており、集合住宅１２へはこの出入り口３３を通じて出入りする。また、廊下部３１は階段部３２にも通じており、その階段部３２によって各階部分の廊下部３１同士がつながっている。階段部３２は前記出入り口３３近くで、居住部１３の側方へ張り出すようにして設けられている。
【００３９】
前記敷地１１には、このような構成をなす集合住宅１２の他、通路スペース１６及び駐車スペース１７が併せて設けられている。通路スペース１６は、集合住宅１２の側方に設けられ、道路Ｒから集合住宅１２への前記出入り口３３につながる通路が形成されている。そのため、一階住戸１５の住人が、それぞれの居住する一階住戸１５と道路Ｒとの間を行き来する場合には、通常であれば、廊下部３１、その出入り口３３及び通路スペース１６を通じた経路Ａをたどることになる。また、上階部分における住戸１５の住人が、同様に道路Ｒとの間を行き来する場合には、図示されてない上階部分の廊下部３１、階段部３２、出入り口３３及び通路スペース１６を通じた経路をたどることになる。
【００４０】
一方、駐車スペース１７は、集合住宅１２の道路側（南側）に設けられている。集合住宅１２の建築スペースが道路Ｒから奥まった位置に設定され、集合住宅１２の道路側にできたフロントスペースが一階住戸１５ごとに区画されて、各駐車スペース１７が形成されている。つまり、各一階住戸１５には、掃き出し窓２３の道路側に、住人専用の駐車スペース１７が付属して設けられている。各駐車スペース１７では、少なくとも車両１台分を駐車可能なスペースと、道路Ｒと掃き出し窓２３との間を行き来する通路分のスペースが確保されている。したがって、一階住戸１５に居住する住人は、同人が所有する車両Ｓを、自らが居住する一階住戸１５の前に設けられた専用の駐車スペース１７に駐車させる。
【００４１】
一階部分の住人が自己の駐車スペース１７と一階住戸１５との間を行き来する場合、通常であれば、前記経路Ａと道路Ｒ上の経路Ｂとをたどることになる。ただ、この集合住宅１２における各一階住戸１５には、駐車スペース１７に面して掃き出し窓２３が設置されており、この掃き出し窓２３を利用して、一階住戸１５内と駐車スペース１７との間を行き来することができるようになっている。
【００４２】
次に、上記集合住宅１２では、各一階住戸１５において、前記掃き出し窓２３についての窓施解錠システムが設けられていることを特徴とする。各一階住戸１５の窓施解錠システムは、いずれも同一のものとなっている。そこで、一の一階住戸１５に設けられた窓施解錠システムについて、図２乃至図５を適宜参照しながら説明する。
【００４３】
まず、窓施解錠システムの機械的要素について説明する。図２は、掃き出し窓２３を屋外側から見た場合の一部正面図である。図２に示されているように、掃き出し窓２３は、窓枠内に複数の窓戸としてのガラス戸２３ａが引き違い式で設けられてなる。各ガラス戸２３ａの上方位置には、電気錠４１が南側外壁部２２に内蔵された状態で設置されている。電気錠４１はデッドボルト４２を有しており、このデッドボルト４２に対応する受孔部２３ｂがガラス戸２３ａの上端縁に設けられている。電気錠４１よりデッドボルト４２を出没させて、受孔部２３ｂに挿入又は抜き出すことにより、ガラス戸２３ａの移動が許容又は規制される。これにより、掃き出し窓２３が施解錠される。
【００４４】
南側外壁部２２の外壁面には、掃き出し窓２３の側方に屋外操作盤４３が設置されている。この屋外操作盤４３は一階住戸１５の住人が前記電気錠４１の施解錠操作を屋外側から行うための装置であり、その操作のしやすい高さ位置に設置されている。その一方で、前記図１に示されているように、一階住戸１５の屋内には、居室２１の壁面等に屋内操作盤４４が設置されている。この屋内操作盤４４は、電気錠４１の施解錠操作を室内側から行うための装置である。
【００４５】
図３を参照して、前記屋外操作盤４３についてもう少し詳しく説明する。図３は屋外操作盤４３を拡大して示す図であり、（ａ）は正面図、（ｂ）は側面図である。屋外操作盤４３には、電気錠４１を施錠動作させる施錠ボタン４５、及び解錠動作させる解錠ボタン４６が設けられている。これら両ボタン４５，４６は、ボタンカバー４７によって覆われている。ボタンカバー４７は、そのカバー上端部がカバーロック機構４８によりロックされており、そのロックによって両ボタン４５，４６を覆った状態が保持されている。そして、カバー開ボタン４９が操作されると、ロックが解除され、ボタンカバー４７はその下端縁に沿って設けられた回動軸４７ａを中心として回動可能となる。図３（ｂ）に示されているように、ボタンカバー４７を開放させれば、各ボタン４５，４６が露出し、それらの操作が可能となる。
【００４６】
なお、いったん開けられたボタンカバー４７を、その回動軸４７ａを中心として回動させて再度閉じれば、カバーロック機構４８により再びロックされる。これにより、ボタンカバー４７によって両ボタン４５，４６が覆われた状態に戻される。
【００４７】
続いて、窓施解錠システムの電気的な構成を説明する。図４はこの電気的構成を示すブロック図である。この図４に示されているように、窓施解錠システムはコントローラ５１を備え、このコントローラ５１により制御される。コントローラ５１は、ＣＰＵや各種メモリ等からなるマイクロコンピュータを有しており、例えば前記屋内操作盤４４に内蔵される等、一階住戸１５の室内に設置されている。なお、このコントローラ５１は、判断手段及び制御手段に相当する。
【００４８】
コントローラ５１は、前記各ガラス戸２３ａに対応する電気錠４１と接続され、コントローラ５１からの制御信号により、前記デッドボルト４２の出没動作（つまり、施解錠）が制御される。そして、コントローラ５１は、その制御信号の出力履歴に基づいて、電気錠４１が施錠又は解錠のいずれの状態にあるかを把握する。
【００４９】
コントローラ５１は、前記屋外操作盤４３に設けられた、施錠ボタン４５、解錠ボタン４６、カバーロック機構４８とそれぞれ接続されている。コントローラ５１による前記電気錠４１の動作制御は、この施錠ボタン４５及び解錠ボタン４６の操作に基づいて行われる。また、カバーロック機構４８も、このコントローラ５１によって制御される。すなわち、コントローラ５１は、住人認証を始めとする所定の条件が満たされた場合に限って、カバーロック機構４８のロック解除を一時的に許可し、また、ボタンカバー４７が再び閉じられた場合にはロック解除を自動的に不能な状態にする。
【００５０】
その所定条件の判断は、住人によって所持される電子キーＫより取得する各種の情報に基づいて行われる。電子キーＫは、常に携帯することが可能な小型の携帯機器であり、窓施解錠用の認証キーとしての機能と、自己が所有する車両Ｓの車両キーとしての機能とを併せ持っている。電子キーＫのメモリには、車両所有者としての識別情報等、車両Ｓを駆動させるのに必要な各種情報が予め記憶されている。この車両所有者としての識別情報が、住人としての識別情報として利用される。また、車両Ｓが有する車両制御ユニット（ＥＣＵ）により、エンジンや電気モータ等の走行駆動源を停止させた時刻等、適宜必要な情報がこの電子キーＫのメモリに書き込まれる。
【００５１】
コントローラ５１には、この電子キーＫとの間で無線情報通信を行う無線通信部５２が接続されている。無線通信部５２は、前記図３にも示されているように、屋外操作盤４３に設けられている。コントローラ５１は、この無線通信部５２より、近接した範囲でリクエスト信号を定期的に送信する。そして、図３に示されているように、電子キーＫを無線通信部５２にかざすと、電子キーＫはリクエスト信号に応答し、その有する情報を無線通信部５２との間で送受信する。コントローラ５１のメモリには、電子キーＫより取得した情報に基づいて、その所持者が住人である旨を判断すべく、予め住人に関する識別情報（これは、住人専用の駐車スペース１７に駐車する車両Ｓの所有者情報でもある。）が記憶されている。
【００５２】
また、コントローラ５１には、車両検知手段としての車両検知センサ５３が接続されている。車両検知センサ５３は、一階住戸１５の北側外壁部２６においてその屋外面に設置され（図１参照）、駐車スペース１７に駐車された車両Ｓを検知する。その検知情報はコントローラ５１に出力され、その情報に基づいて、コントローラ５１は駐車スペース１７における車両Ｓの駐車状況（入出庫や駐車中である等）を把握する。なお、この車両検知センサ５３による車両Ｓの検知情報や、前記電子キーＫに記憶された走行駆動源の停止時刻情報等が、駐車スペース１７における車両Ｓの駐車情報にあたる。
【００５３】
さらに、コントローラ５１には、屋内側の構成要素として、施解錠ボタン５４、閉ランプ５５、開ランプ５６及びスピーカ５７がそれぞれ接続されている。図５は、屋内操作盤４４の正面図である。この図５に示されているように、これら各構成要素は前記屋内操作盤４４に設けられている。
【００５４】
施解錠ボタン５４は、屋内側から電気錠４１を施解錠操作する操作ボタンであり、一階住戸１５内の住人がそれを操作することにより、コントローラ５１は電気錠４１を施解錠動作させる。施解錠ボタン５４は、施錠と解錠とで異なるボタン４５，４６を有する前記屋外側のものと異なり、一つの操作ボタンとされている。このため、コントローラ５１は、電気錠４１が施錠状態にある場合にこの施解錠ボタン５４が操作されると解錠し、逆に、解錠状態にある場合に操作されると施錠する。
【００５５】
かかる操作を行う上では、電気錠４１の窓施解錠状態を住人が把握できることが好ましい。このため、電気錠４１が施錠又は解錠のいずれの状態にあるのか、閉ランプ５５及び開ランプ５６の点灯状態によって示されるようになっている。コントローラ５１は電気錠４１を施錠動作させた場合に閉ランプ５５を点灯させ、次に解錠動作が行われるまでその点灯状態を継続する。また、電気錠４１を解錠動作させた場合に開ランプ５６を点灯させ、次に施錠動作が行われるまでその点灯状態を継続する。そして、施錠又は解錠動作がなされて施解錠状態の変更がある場合には、コントローラ５１は、スピーカ５７より動作がなされた旨の報知がなされる。これにより、一階住戸１５内の住人は、電気錠４１の施解錠状態を把握することができる。
【００５６】
続いて、コントローラ５１により実行される窓施解錠制御処理について、図６のフローチャートを参照しつつ説明する。この窓施解錠処理は、屋外側から電気錠４１を施解錠動作させる場合を想定している。
【００５７】
なお、屋内側から施解錠動作させる場合については、前述した通りである。つまり、施解錠ボタン５４の操作により電気錠４１を解錠又は施錠動作させ、それに併せてランプ５５，５６の点灯状態、スピーカ５７からの報知を実行する。
【００５８】
図６において、ステップＳ１０１では、リクエスト信号の送信処理を実施する。続くステップＳ１０２では、このリクエスト信号に応答して、電子キーＫより住人の識別情報を受信したか否かを判定する。応答がある場合、すなわち住人が電子キーＫを無線通信部５２にかざすことにより、その電子キーＫより識別情報を受信した場合、ステップＳ１０３に進み、その受信した識別情報に基づいてユーザ認証を実施する。つまり、受信した識別情報が、予めメモリに記憶されている住人の識別情報と一致するか否かを判定する。そして、認証ＮＧであれば、ステップＳ１０４を否定してそのまま本処理を終了する。逆に、認証ＯＫであれば、ステップＳ１０４を肯定してステップＳ１０５に進む。
【００５９】
ステップＳ１０５では、車両検知センサ５３から入力される検知情報に基づいて、車両Ｓが入庫したか否か、つまり車両Ｓが外出先から戻って駐車スペース１７に駐車されたか否かを判定する。この場合、車両検知センサ５３が車両Ｓを検知してから所定時間（例えば、１０分程度）は車両Ｓが入庫したものとして判断される。車両Ｓが入庫した場合には判定を肯定してステップＳ１０６に進む。これに対し、車両Ｓがすでに駐車スペース１７に駐車中である場合や出庫中である場合には、車両Ｓが入庫した場合でないとして判定を否定し、ステップＳ１０７に進む。
【００６０】
ステップＳ１０６では、車両Ｓの走行駆動源を停止させてから所定時間（例えば、１０分程度）内か否かを判定する。その判定は、電子キーＫより受信した、走行駆動源の停止時刻情報に基づいて行われる。電子キーＫには、車両Ｓの走行駆動源を停止させた時刻が書き込まれており、この停止時刻情報を前記識別情報と併せて、前記リクエスト信号に応答した電子キーＫより受信する。そして、その停止時刻情報を受信しない場合や、すでに所定時間を経過している場合には、このステップＳ１０６の判定を否定して本処理を終了する。一方、いまだ所定時間内であれば、判定を肯定してステップＳ１０８に進む。
【００６１】
一方、ステップＳ１０７では、掃き出し窓２３の電気錠４１が解錠状態にあるか否かを判定する。施錠状態である場合は判定を否定して本処理を終了し、解錠状態である場合は判定を肯定してステップＳ１０８に進む。
【００６２】
ステップＳ１０８では、カバーロック機構４８によるボタンカバー４７のロック解除を一時的に許可する。屋外操作盤４３にスピーカ等を設けて、ロック解除が許可された旨を報知するようにすれば、住人は現状を把握することが可能となって利便性が高まる。この一時的な許可状態にある場合のみ、カバー開ボタン４９が操作されれば、カバーロック機構４８によるロックが解除されてボタンカバー４７が開けられる。露出した施錠ボタン４５及び解錠ボタン４６が操作されれば、コントローラ５１はその操作に伴って電気錠４１を施解錠動作させる。
【００６３】
以上の制御内容を、住人の行動と併せてより具体的にみてみる。車両入庫時であれば、車両Ｓから降車した住人が、走行駆動源停止後の所定時間内に電子キーＫを屋内操作盤４４の無線通信部５２にかざすと、カバー開ボタン４９を操作してボタンカバー４７を開けることが許可される。解錠ボタン４６を操作して電気錠４１を解錠動作させれば、住人は、掃き出し窓２３を開けて駐車スペース１７から屋内の居室２１に入ることができる。なお、解錠ボタン４６を操作した後には、住人がボタンカバー４７を再び閉じる操作を行う必要がある。一方、住人であっても、走行駆動源停止後の所定時間を経過すれば、電子キーＫをかざしても、カバー開ボタン４９の操作は受け付けられない。このため、住人は玄関２４側に回り、その玄関２４から入室することになる。
【００６４】
また、住人が車両Ｓに乗車して外出する場合であれば、まず、屋内操作盤４４の施解錠ボタン５４を操作して電気錠４１を解錠させ、掃き出し窓２３を開けて駐車スペース１７に出る。その後、電子キーＫを無線通信部５２にかざすと、その時点では、車両Ｓが駐車状態にあるとともに電気錠４１は解錠状態にあるため、カバー開ボタン４９を操作してボタンカバー４７を開けることが許可される。施錠ボタン４５を操作して電気錠４１を施錠動作させれば、住人は、屋外側から掃き出し窓２３を施錠できる。なお、この場合も、解錠ボタン４６を操作した後には、住人がボタンカバー４７を再び閉じる操作を行う必要がある。
【００６５】
次に、前述したステップＳ１０２において、リクエスト信号に対する応答がなかった場合には、次の処理を実行する。この場合、ステップＳ１０２の判定を否定して、ステップＳ１０９に進む。そこでは、車両検知センサ５３から入力される検知情報に基づいて、車両Ｓが出庫したか否か、つまり駐車スペース１７に駐車されていた車両Ｓがそのスペース外に出たか否かを判定する。この場合、車両検知センサ５３により車両非検知となってから所定時間（例えば、数分程度）は車両Ｓが出庫したものとして判断される。車両Ｓが出庫した場合でなければ、判定を否定してそのまま本処理を終了する。一方、車両Ｓが出庫した場合には、判定を肯定してステップＳ１１０に進む。
【００６６】
ステップＳ１１０では、掃き出し窓２３の電気錠４１が解錠状態にあるか否かを判定する。つまり、ここでは、住人が電気錠４１の施錠動作をし忘れたまま、車両Ｓに乗車して外出してしまったか否かを判断している。施錠状態にある場合には判定を否定して本処理を終了し、解錠状態にある場合には判定を肯定してステップＳ１１１に進む。そのステップＳ１１１では、車両出庫から所定時間（例えば、数分程度）が経過したか否かを判定する。いまだ所定時間を経過していない場合は、判定を否定して本処理を終了する一方、すでに所定時間を経過した場合には、次のステップＳ１１２に進み、電気錠４１を自動的に施錠動作させる。
【００６７】
このように電気錠４１が自動的に施錠動作されることにより、住人が施錠し忘れた場合であっても、掃き出し窓２３の施錠を行える。この場合、屋外側から施解錠動作を行うための認証キーとなる電子キーＫは車両キーとしての機能も有しているため、車両Ｓに乗車して外出した住人はこの電子キーＫを必ず所持している。このため、自動的に施錠動作がなされた場合でも、帰宅時に、屋外側から解錠動作を行うことができるため、住人が締め出されてしまうことはない。
【００６８】
以上をまとめると、本実施の形態によれば、以下に示す有利な効果が得られる。
【００６９】
（１）一階住戸１５には、駐車スペース１７に面して掃き出し窓２３が設けられたため、この掃き出し窓２３を利用して住戸内と駐車スペース１７との間を行き来することができる。その移動距離は、経路Ａをたどって玄関２４から駐車スペース１７まで移動するのに比べて大幅に短くなるため、その移動に関する利便性が高まる。
【００７０】
（２）掃き出し窓２３の電気錠４１について、所定条件の下でのみ、屋外側のカバー開ボタン４９を操作して、解錠ボタン４６を覆うボタンカバー４７の開放が許可されるようにした。これにより、防犯性の低下を抑制しつつ、駐車スペース１７への移動距離を短くして利便性を高めることができ、防犯性と利便性との両立を図ることができる。
【００７１】
（３）ボタンカバー４７の開放が許可される所定条件として、電子キーＫによる認証だけでなく、車両Ｓが入庫し、かつその車両Ｓの走行駆動源が駆動停止されてから所定時間内であることが設定されている。これにより、屋外側から電気錠４１を解錠できるのは、一階住戸１５の住人が車両Ｓに乗車して帰宅し、駐車スペース１７に車両Ｓを入庫した後の所定時間内に限られる。このように、住人であってもごく限られた時間内でしか解錠が許されないとすることで、防犯性が向上する。
【００７２】
（４）掃き出し窓２３の施解錠装置として、一般的なクレセント錠ではなく、ガラス戸２３ａの上方に設置された電気錠４１が用いられている。これにより、屋外側から施錠部分が発見されず、また、施錠部分が手の届きにくい高さ位置にある点で、その施錠部分が破壊される等の不正行為を防止でき、防犯性を高めることができる。
【００７３】
（５）車両Ｓが出庫し、その出庫から所定時間を経過した場合、電気錠４１が解錠状態にあればその電気錠４１を施錠動作させるようにした。これにより、住人が電気錠４１を施錠し忘れたまま、車両Ｓに乗車して外出した場合でも、自動的に電気錠４１が施錠され、防犯性を高めることができる。特に、ボタンカバー４７の開放認証用の識別情報を送信する電子キーＫは車両キーとしての機能も有しているため、住人が締め出されてしまうことはない。
【００７４】
（６）集合住宅１２の各一階住戸１５は、それぞれの掃き出し窓２３に設置された電気錠４１の施解錠を制御すべく、窓施解錠システムを備えている。これにより、全ての一階住戸１５について、防犯性の低下を抑制しつつ、駐車スペース１７への移動距離を短くして利便性を高めることができ、防犯性と利便性との両立を図れる。これにより、複数階建ての集合住宅１２について、その一階住戸１５に付加価値がもたらされ、そこへの入居を促すことができる。
【００７５】
［第２実施形態］
次に、窓施解錠システムに関する第２実施形態について説明する。この第２の実施形態は、前記電気錠４１を別々に施解錠動作させるようにしたものである。こうすることで、駐車スペース１７から住戸内への移動距離をより短くして利便性をさらに高めることができる。図８は、それを説明する窓施解錠システムの概略を示す図である。
【００７６】
上記第１実施形態と異なる点を中心に説明すると、まず、屋外操作盤４３の無線通信部５２と電子キーＫとの間の通信範囲はより広いものとされ、電子キーＫを所持したまま掃き出し窓２３に近づけば、識別信号の送受信が行われるようになっている。
【００７７】
図８に示されているように、一階住戸１５の屋外側において、南側外壁部２２の屋外面には、掃き出し窓２３の上方に人感センサ６１が設けられている。人感センサ６１はコントローラ５１に接続され、掃き出し窓２３の屋外側となる検知領域Ｄで人が検知されると、その検知信号をコントローラ５１に出力する。また、車両Ｓに搭載された電子制御ユニット（ＥＣＵ）７１には、ハンドル７２の左右位置、充電用接続コンセント７３を有する場合はその左右位置、車両入庫時におけるシフトレバーの位置情報等を含む車両情報が記録されている。コントローラ５１は、無線通信部５２を通じてこれら車両情報を取得し、その情報からハンドル７２の位置、被接続部としての接続コンセント７３の位置、車両Ｓの向き等を把握する。
【００７８】
その他、一階住戸１５の屋外側には、ハイブリッド自動車や電気自動車等の車両Ｓへ電力を供給するための充電装置６２が設置されている。充電装置６２には充電ケーブル６３が内蔵されており、車両Ｓへの充電時にはその充電ケーブル６３を引き出して、車両Ｓに設けられた接続コンセント７３に接続されるようになっている。なお、盗電を防止すべく、充電ケーブル６３の引き出しは、充電装置６２が有する認証装置により、電子キーＫの識別情報に基づいて認証処理が実行され、認証ＯＫな場合に限り許可される。
【００７９】
ガソリン車等の充電不要な車両Ｓを入庫させた場合であれば、コントローラ５１は、車両Ｓの入庫とともに、ハンドル７２の位置と車両Ｓの向きとから、ハンドル７２が存在する側（運転席側）を把握する。その後、住人が車両Ｓより降車して掃き出し窓２３へ向かって進むと、人感センサ６１により人検知され、無線通信部５２と電子キーＫとの間で無線通信が行われる。電子キーＫより受信した識別信号が認証されると、コントローラ５１は、ハンドル７２が存在する側の電気錠４１ａ，４１ｂを解錠動作させる。図８では、ハンドル７２の位置は右で、かつ正面を道路Ｒ側に向けて駐車しているため、紙面左側にハンドル７２が存在している。このため、コントローラ５１は、それと同じ左側の電気錠４１ａを解錠させている。
【００８０】
また、充電作業の必要な車両Ｓを入庫させた場合には、コントローラ５１は、車両Ｓの入庫とともに、接続コンセント７３の位置と車両Ｓの向きとから、接続コンセント７３が存在する側を把握する。その後、住人が充電装置６２より充電ケーブル６３を引き出して接続コンセント７３に接続し、車載バッテリに対する充電を開始する。その際、人感センサ６１により人検知され、無線通信部５２と電子キーＫとの間で無線通信が行われる。電子キーＫより受信した識別信号が認証されると、コントローラ５１は、接続コンセント７３が存在する側の電気錠４１ａ，４１ｂを解錠させる。図８では、接続コンセント７３の位置は右で、かつ正面を道路Ｒ側に向けて駐車しているため、紙面左側に接続コンセント７３が存在している。このため、コントローラ５１は、それと同じ左側の電気錠４１ａを解錠させている。
【００８１】
このように、車両Ｓの入庫や充電作業後に住人が存在する側に合わせて、電気錠４１ａ，４１ｂを解錠させることにより、住人が住戸内へ移動するその移動距離がより短くなり、利便性を高めることができる。
【００８２】
ちなみに、この第２の実施形態では、ハンドル７２が存在する側の電気錠４１ａ，４１ｂを解錠させる制御と、接続コンセント７３が存在する側の電気錠４１ａ，４１ｂを解錠させる制御との、いずれかの制御が少なくとも実施される構成であればよい。
【００８３】
また、この第２の実施形態のように、人検知手段としての前記人感センサ６１が屋外側に設置されている構成では、屋内側から電気錠４１を解錠させる場合に、人感センサ６１が人非検知状態であることを条件とする制御を実施してもよい。つまり、住人が屋内操作盤４４の施解錠ボタン５４を操作して解錠させようとした場合、掃き出し窓２３の外に人が存在しない場合に限り、コントローラ５１はその解錠要求を受け付ける。
【００８４】
これにより、次のような効果が得られる。すなわち、駐車スペース１７に車両Ｓが存在することによって道路Ｒからの死角ができるため、侵入者がその死角に隠れている場合もあり得る。そのような場合に電気錠４１を解錠してしまえば、防犯上の問題が生じる。そこで、このように、外に人がいない場合に限って解錠することにより、防犯性を高めることができる。
【００８５】
なお、この場合、コントローラ５１は、屋内操作盤４４のスピーカ５７を用いて、外に人が存在する旨を報知する。これにより、住人は解錠要求が受け付けられない理由を把握することが可能となり、外部に通報する等の必要な措置を講ずることができる。
【００８６】
［第３実施形態］
次に、上記各実施形態の窓施解錠システムを利用して構成される第３実施形態について説明する。この第３実施形態は、各一階住戸１５にそれぞれ設置された窓施解錠システムを用いて、その全体を統合管理するシステムとして構築されたものである。図７は、この統合管理システムの概略を示す図である。
【００８７】
図７に示されているように、統合管理システムは、例えば集合住宅１２の共用部１４に設置された管理サーバ８１を備えている。この管理サーバ８１には、各窓施解錠システムのコントローラ５１が接続されている。管理サーバ８１は、インターネット等の通信ネットワーク８２を介して、管理会社に設置された管理装置８３と接続されている。管理装置８３は、住人が所持する携帯電話等の携帯端末Ｃとの間で双方向に通信可能とされており、両者の間で必要な情報が送受信される。
【００８８】
なお、この統合管理システムでは、一階住戸１５の玄関ドア２５も電気錠８４により施解錠されるようになっている。このため、コントローラ５１には、掃き出し窓２３の電気錠４１の他、玄関ドア２５の電気錠８４も接続されており、この電気錠８４の施解錠動作もコントローラ５１によって制御される。
【００８９】
かかる統合管理システムを利用すれば、次のような制御を行うことができる。
【００９０】
・住人の携帯端末Ｃから出された指示を受け、電気錠４１，８４を施解錠動作させる。また、電気錠４１，８４の施錠状況を、携帯端末Ｃに送信する。その他、シャッタ装置が掃き出し窓２３の屋外側に設置された構成では、そのシャッタ装置に関しても同様の制御を行える。これにより、住人は、外出先から掃き出し窓２３や玄関ドア２５の施錠状況やシャッタ装置の開閉状況を確認したり、電気錠４１，８４やシャッタ装置の動作を指示したりできる。特に、帰宅が遅くなってしまった場合などに、自宅の施錠状況を確認して安心感を得ることができる点でメリットがある。
【００９１】
・認証なく電気錠４１，８４の解錠操作がなされた場合には、その旨を携帯端末Ｃに報知する。これにより、管理会社や住人は一階住戸１５に対する異常状態を把握することができ、それぞれが必要とする措置を速やかに講ずることができる。
【００９２】
・管理サーバ８１と集合住宅１２に設置された自動火災報知器とを接続し、火災発生が検知された場合には、自動的に電気錠４１，８４を解錠させるようにしてもよい。
【００９３】
・屋内操作盤４４の施解錠ボタン５４の操作により、掃き出し窓２３の電気錠４１が解錠されたことを管理サーバ８１で把握し、それに基づいて、住人が掃き出し窓２３より屋外に出たことの履歴を作成するようにしてもよい。管理会社は、その履歴から、住人の在宅状況を把握したり、予測したりして、住人の管理に役立てることができる。
【００９４】
［その他の実施形態］
以上説明した実施の形態に限らず、例えば以下に別例として示した形態で実施することもできる。
【００９５】
（ａ）屋外操作盤４３に、電気錠４１を操作するボタン４５，４６の他、他の操作ボタンや屋外コンセント等が設けられた構成を採用してもよい。例えば、掃き出し窓２３の屋外側に電動シャッタ装置が設けられた構成では、その開閉を屋外側から操作するボタンが設置されるとよい。また、ハイブリッド自動車や電気自動車等の車両Ｓの車載バッテリに対し、家庭用商用電力（ＡＣ１００Ｖ）による充電を行うべく、充電ケーブルのプラグが接続される屋外コンセントが設けられるとよい。これにより、充電ケーブルを通じて、建物側から家庭用商用電力が供給されて、車載バッテリの充電を行える。
【００９６】
なお、これらシャッタ開閉ボタンや屋外コンセントも、施錠ボタン４５や解錠ボタン４６と同様に、ボタンカバー４７によって覆われた構成とし、上記実施形態で説明したように、所定条件の下でのみ開放が許可されるようにすることが好ましい。また、ボタンカバー４７が開放された後、所定時間内にシャッタ開閉のボタン操作や充電ケーブルのプラグ接続がなされた場合のみ、シャッタ開閉動作や充電用の電力供給が行われるようにしてもよい。これらの制御により、盗電や、非住人によって勝手にシャッタが開閉されることが防止され、防犯性を高めることができる。
【００９７】
（ｂ）車両Ｓの盗難を報知する構成を付加してもよい。この場合、屋内操作盤４４に設けられたモード切替ボタンの操作により、コントローラ５１は車両警戒モード又は非警戒モードに切り替える。そして、車両警戒モードにおいて、コントローラ５１は、屋外操作盤４３の無線通信部５２を通じ、駐車スペース１７に駐車された車両Ｓとの間で、リクエスト信号の送信とその応答信号との送受信を行う。この信号送受信により、コントローラ５１は車両Ｓの存在状況を把握できる。
【００９８】
そして、車両警戒モードにおいて、応答信号が受信状態から非受信状態となれば、勝手に車両Ｓが駐車スペース１７より外に出されたこととなる。この場合に、コントローラ５１は、屋内操作盤４４のスピーカ５７より車両盗難を報知すれば、住人は、外部に通報する等、即座に必要な措置を講ずることができる。
【００９９】
なお、この構成では、モード切替ボタンがモード切替手段に、無線通信部５２が無線送受信手段に、スピーカ５７が盗難報知手段に相当する。また、コントローラ５１は、これらいずれの手段にも相当する。
【０１００】
（ｃ）上記実施の形態では、ボタンカバー４７によってボタン４５，４６が覆われているが、各ボタン４５，４６を露出させた状態としてもよいし、第２実施形態のように、そもそもボタン操作なく解錠動作させるようにしてもよい。その場合でも、コントローラ５１が、前述した所定条件（住人認証と走行駆動源停止より所定時間内）を満たした場合のみ解錠を許可すれば、防犯性を確保できる。ボタンカバー４７が設けられた構成の場合、そのカバー閉め忘れが懸念されるが、この別形態の構成によればそのような懸念がなくなる点でメリットがある。
【０１０１】
また、ボタンカバー４７が設けられた構成において、そのボタンカバー４７が開放された後、所定時間内にボタン操作された場合にのみ、電気錠４１を解錠動作させるようにしてもよい。その他、少なくとも解錠ボタン４６がボタンカバー４７によって覆われていれば足りる。非住人による電気錠４１の勝手な解錠を防止できれば、防犯性が確保されるからである。
【０１０２】
（ｄ）上記実施の形態では、電子キーＫより受信した識別情報が住人として予め登録された識別情報と一致すれば認証ＯＫとしていたが、所定の属性を有することもさらなる認証の条件としてもよい。その所定属性とは、住人について掃き出し窓２３を通じた出入りを許可することに関する属性であり、例えば、性別や年齢等によって区分されるものである。例として、一階住戸１５に、両親と子供とで構成された家族が居住している場合、１８歳以上の年齢属性情報を受信したことを認証条件に加える。そうすれば、子供のいたずら等により、不用意に電気錠４１が解錠されてしまうことを防止し、防犯性をより強化できる。この場合、電子キーＫには住人の操作よって出入りを許可する属性情報が予め登録され、その属性情報が識別情報と併せて無線送信される。
【０１０３】
（ｅ）上記実施の形態では、ガラス戸２３ａの上方に電気錠４１が設置されているが、電気錠４１の設置位置は任意であり、例えば、ガラス戸２３ａの下方に設置された構成を採用してもよい。この場合、デッドボルト４２に対応する受孔部２３ｂは、ガラス戸２３ａの下端縁に設けられ、施錠時にはガラス戸２３ａの下方からデッドボルト４２が上に突出して、受孔部２３ｂに挿入される。
【０１０４】
（ｆ）上記実施の形態では、全ての一階住戸１５に窓施解錠システムを設置して、掃き出し窓２３の施解錠を制御するようにしたが、任意の一階住戸１５に窓施解錠システムが設置されるようにしてもよい。もっとも、全ての一階住戸１５に掃き出し窓２３が設置されている場合には、その全てに窓施解錠システムを設置した方が、防犯性を両立させることができる点で好ましい。
【０１０５】
（ｇ）上記実施の形態では、複数階建てであって各階部分に複数の住戸１５が設けられた集合住宅１２を例として説明したが、一階建ての集合住宅であってもよい。また、一の住戸が一階部分と上階部分とで構成される、いわゆるメゾネットタイプの集合住宅であってもよい。後者の場合、各住戸の一階部分が、上記実施形態における一階住戸１５に相当する。
【０１０６】
（ｈ）上記実施の形態では、集合住宅１２の各住戸１５は床面積や間取り等がほぼ統一されているが、それらが異なった住戸１５が存在していてもよい。
【０１０７】
（ｉ）上記実施の形態では、東西方向に延びる道路Ｒの北側に敷地１１が存在し、そこの南向きで集合住宅１２が建てられているが、これら道路Ｒ、敷地１１及び集合住宅１２の配置は、その方角が特定されるわけではない。例えば、集合住宅１２は、南東・北西方向等、他の方角を向いて建てられていてもよい。
【符号の説明】
【０１０８】
１２…集合住宅、１５…住戸、１７…駐車スペース、２３…掃き出し窓、２３ａ…ガラス戸（窓戸）、４１…電気錠、５１…コントローラ（判断手段、制御手段、モード切替手段、無線送受信手段、盗難報知手段）、５２…無線通信部（無線送受信手段）、５３…車両検知センサ（車両検知手段）、５７…スピーカ（盗難報知手段）、６１…人感センサ（人検知手段）、６２…充電装置、６３…充電ケーブル、７２…ハンドル、７３…接続コンセント（被接続部）、Ｋ…電子キー、Ｒ…道路、Ｓ…車両。
【図１】
0005578944.tif 000002
【図２】
0005578944.tif 000003
【図３】
0005578944.tif 000004
【図４】
0005578944.tif 000005
【図５】
0005578944.tif 000006
【図６】
0005578944.tif 000007
【図７】
0005578944.tif 000008
【図８】
0005578944.tif 000009